(57)【要約】      （修正有）【課題】サンプル構造と高い効率性を有する光学表示パターンを生成可能な光学表示装置、特に光学表示装置を有する車両ランプ、及び自動車両を提供する。【解決手段】光学表示装置１００は、少なくとも１つの光源１０と、パターニング装置２０であって、光源１０から出射された光線１１、１２がパターニング装置２０を透過する時、表示パターンを形成するように配設される。パターニング装置２０は、光線１１、１２をパターニングするように配設される少なくとも１つの第１及び第２パターニングユニット２１、２２を備える。互いに隣接するように配設される複数の光偏向部２３、２４が、第１及び第２パターニングユニット２１、２２の光源１０に向く第１表面２１１、第３表面２２１か、光源１０と反対方向を向く第２表面２１２、第４表面２２２に形成される。【選択図】図１
2019050201.tif 000002
【特許請求の範囲】
【請求項１】
少なくとも１つの光源（１０；１０ａ、１０ｂ、１０ａ’、１０ｃ、１０ｃ’）と、
パターニング装置（２０、２０’）であって、前記光源（１０；１０ａ、１０ｂ、１０ａ’、１０ｃ、１０ｃ’）から出射された光線が当該パターニング装置（２０、２０’）を透過する時、表示パターンを形成するように配設されるパターニング装置（２０、２０’）と、
を備え、
前記パターニング装置（２０、２０’）は、前記光線をパターニングするように配設される少なくとも１つのパターニングユニットを備え、
互いに隣接するように配設される複数の光偏向部が、前記パターニングユニットの前記光源に向く側か、前記光源と反対方向を向く側に形成される、
光学表示装置（１００、１００’、２００、３００）。
【請求項２】
前記光偏向部は、円弧形状の輪郭又は三角形状の輪郭を持つ断面を有する、
請求項１に記載の光学表示装置（１００、１００’、２００、３００）。
【請求項３】
前記光偏向部は、５ｍｍより小さく０．０１ｍｍより大きい幅を有する、
請求項１又は２に記載の光学表示装置（１００、１００’、２００、３００）。
【請求項４】
前記光偏向部は、５ｍｍより小さく０．１ｍｍより大きい幅を有する、
請求項３に記載の光学表示装置（１００、１００’、２００、３００）。
【請求項５】
前記パターニングユニットの前記光偏向部は、異なる方向において延在する、
請求項１又は２に記載の光学表示装置（１００、１００’、２００、３００）。
【請求項６】
前記少なくとも１つのパターニングユニットは、互いに組み合せ可能である、
請求項５に記載の光学表示装置（１００、１００’、２００、３００）。
【請求項７】
前記光源と前記パターニングユニットとの間の距離が調整可能である、
請求項１又は２に記載の光学表示装置（１００、１００’、２００、３００）。
【請求項８】
前記少なくとも１つの光源の点灯及び消灯を制御して、前記パターニング装置により出力される表示パターンを変更するように構成されるパターン調整装置（４０）を更に備える、
請求項１に記載の光学表示装置（１００、１００’、２００、３００）。
【請求項９】
前記パターン調整装置（４０）は、前記少なくとも１つの光源を流れる駆動電流を制御するように構成される駆動回路を備える、
請求項８に記載の光学表示装置（１００、１００’、２００、３００）。
【請求項１０】
前記光源は、発光ダイオード又はハロゲンランプを有する、
請求項１に記載の光学表示装置（１００、１００’、２００、３００）。
【請求項１１】
前記パターニングユニットは、回析格子により形成される、
請求項１に記載の光学表示装置（１００、１００’、２００、３００）。
【請求項１２】
請求項１乃至１１のいずれか一項に記載の光学表示装置（１００、１００’、２００、３００）を備える車両ランプ。
【請求項１３】
請求項１乃至１１のいずれか一項に記載の表示装置（１００、１００’、２００、３００）、又は請求項１２に記載の車両ランプを備える自動車両。
【発明の詳細な説明】
【技術分野】
【０００１】
本開示は、照明及び信号伝達（シグナリング）の分野に関し、特に光学表示装置、前記光学表示装置を有する車両ランプ、及び自動車両に関する。
【関連技術の説明】
【０００２】
技術発展及び社会的進歩に伴い、照明又は信号伝達装置に対する人々の需要は、照明又は信号表示器が提供する機能を超えるようになってきている。したがって、照明又は信号伝達装置（例えば、自動車両用車両ランプ）に対するカスタマイズされた要求が増加しており、より多様な光線パターン及び点灯効果を提供することが望まれているであろう。例えば、照明光又は信号伝達光が、カスタマイズされた要求に合致する何らかの情報又はパターンを有することが望まれるかもしれない。従来技術により、照明又は信号伝達装置においてパターンを生成する装置、例えば、光線を部分的に不透明材料でシールドすることによってパターンを生成する装置が提案されている。しかしながら、不透明材料でシールドすることは、光学効果を減少させる。
【発明の概要】
【０００３】
本開示の目的は、サンプル構造と高い効率性を有する光学表示パターンを生成可能な光学表示装置を提供することである。
【０００４】
本発明は、少なくとも１つの光源と、パターニング装置であって、前記光源から出射された光線が当該パターニング装置を透過する時、表示パターンを形成するように配設されるパターニング装置と、を有し、前記パターニング装置は、前記光線をパターニングするように配設される少なくとも１つのパターニングユニットを備え、互いに隣接するように配設される複数の光偏向部が、前記パターニングユニットの前記光源に向く側か、前記光源と反対方向を向く側に形成される、光学表示装置を提供する。
【０００５】
好適には、前記光偏向部は、円弧形状の輪郭又は三角形状の輪郭を持つ断面を有する。一実施形態において、前記光偏向部は、５ｍｍより小さく０．０１ｍｍより大きい幅を有し、好適には、前記光偏向部は、５ｍｍより小さく０．１ｍｍより大きい幅を有する。しかしながら、入射光を偏向させる機能を果たし得る他のいずれの断面輪郭も適用可能であることに留意されたい。
【０００６】
本開示による光学表示装置の一実施形態において、前記パターニングユニットの前記光偏向部は、異なる方向において延在する。前記少なくとも１つのパターニングユニットは互いに組み合わせ可能であり、これにより、前記光源から出射された前記光線が前記パターニング装置を透過する時、組み合わされたパターニングユニットを介して所望のパターンが表示される。特に、前記パターニングユニットの前記光偏向部が同一の延在方向を有している場合、前記パターニングユニットを製造及び保管するコストが節約され得る。当然ながら、前記パターニングユニットは、単独部品としても構成され得る。この場合、所望の延在方向を有する光偏向部が、前記パターニングユニットの一側に形成される。
【０００７】
本開示による光学表示装置の前記光源と前記パターニングユニットとの間の距離が調整可能である。前記光源と前記パターニングユニットとの間の距離を変更することにより、前記パターニング装置により出力される表示パターンは容易に変化され得る。一例において、或る光源と前記パターニングユニットとの間の距離は、別の光源と前記パターニングユニットとの間の距離と異なり得る。前記光源と前記パターニングユニットとの間の距離が大きいほど、表示される表示パターンのサイズは大きくなるであろう。そうでなければ、前記光源と前記パターニングユニットとの間の距離が小さいほど、表示される表示パターンのサイズは小さくなるであろう。
【０００８】
本開示による光学表示装置は、前記少なくとも１つの光源の点灯及び消灯を制御して、前記パターニング装置により出力される表示パターンを変更するように構成されるパターン調整装置を更に有し得る。一例において、光源は数グループに分割され得る。或るグループの光源は対応する光線を出射し得る。そして、前記パターン調整装置は、前記数グループの光源の点灯及び消灯を制御して、前記パターニング装置により出力される単数又は複数の表示パターンを変更し得る。単数又は複数の前記光源を制御するように、前記パターン調整装置は、前記少なくとも１つの光源を流れる駆動電流を制御するように構成される駆動回路を有する。
【０００９】
本開示による光学表示装置の一実施形態において、前記光源は、発光ダイオード又はハロゲンランプとして構成される。
【００１０】
本開示による光学表示装置の一実施形態において、前記パターニングユニットは、回析格子により形成される。
【００１１】
本開示は、また、上述の実施形態のうちのいずれか１つに記載の光学表示装置を有する車両ランプを提供する。
【００１２】
本開示は、また、上述の実施形態のうちのいずれか１つに記載の表示装置、又は上述の実施形態のうちのいずれか１つに記載の車両ランプを有する自動車両を提供する。
【００１３】
本開示の上述の実施形態のうちのいずれか１つに記載の光学表示装置は、異なる方向に延在する一連の光偏向部を有する複数のパターニングユニットによって光線をパターニングすることにより、比較的高い光学的効率性を以て種々の表示パターンを形成することができる。
【図面の簡単な説明】
【００１４】
【図１】本開示の実施形態による光学表示装置の概略図。
【図１ａ】本開示の別の実施形態による光学表示装置の概略図。
【図２】本開示の実施形態による光学表示装置におけるパターニング装置の一例の概略図。
【図３】本開示の別の実施形態による光学表示装置の概略図。
【図４】本開示の更なる実施形態による光学表示装置におけるパターニング装置の別の例の概略図。
【図５】本開示の更なる実施形態による光学表示装置の概略図。
【図６】本開示の実施形態による光学表示装置における光偏向部の断面形状の一例の概略図。
【図７】本開示の実施形態による光学表示装置における光偏向部の断面形状の別の例の概略図。
【図８】本開示の実施形態による光学表示装置により出力される表示パターンの一例の概略図。
【図９】本開示の実施形態による光学表示装置により出力される表示パターンの別の例の概略図。
【図１０】本開示の実施液体による光学表示装置により出力される表示パターンの更なる例の概略図。
【図１１】図５に示す光学表示装置の側面概略図。
【図１２】第１又は第２光偏向部の作動原理を概略的に示す図。
【図１３】本開示の実施形態による光学表示装置におけるパターニング装置の別の例の概略図であって、第１パターニングユニットと第２パターニングユニットとが一体的に形成されていることを示す図。
【発明を実施するための形態】
【００１５】
本開示の技術的解決策を、添付図面を参照しつつ例示的に詳細に更に説明する。本明細書において、同様又は類似の参照符号は同様又は類似の部品を指す。図面を参照してなされる本開示の実施形態に関する以下の説明は、本開示の全体的な発明概念を説明することを意図したものであり、本開示を限定するものとして解釈されるべきではない。
【００１６】
更に、以下の詳細な説明において、本開示の実施形態の完全なる理解を得るように多くの特定の詳細事項が記載される。しかしながら、これらの特定の詳細事項を欠いても、１つ以上の実施形態が同様に実施され得ることが明らかであろう。
【００１７】
図１は、本開示の実施形態による、車両ランプ用の光学表示装置１００を概略的に示す。光学表示装置１００は、第１光線１１及び第２光線１２を出射するように配設される光源１０と、光源１０から出射された第１光線１１及び第２光線１２の断面において表示パターンを形成するように配設されるパターニング装置（パターン形成装置）２０と、を有し得る。パターニング装置２０は、第１光線１１をパターニング（パターン化）するように配設される第１パターニングユニット２１であって、互いに平行に且つ第１方向ｘにおいて延在する複数の第１光偏向部２３を備える第１パターニングユニット２１と、第２光線１２をパターニングするように配設される第２パターニングユニット２２であって、互いに平行に且つ第２方向ｙにおいて延在する複数の第２光偏向部２４を有する第１パターニングユニット２２と、を有し得る。第２方向ｙは、第１方向ｘと異なる。例えば、第２方向ｙは、第１方向ｘに対して０度を超える角度で、且つ１８０度未満の角度で傾斜し得る。複数の第１光偏向部２３で屈折した第１光線１１、及び複数の第２光偏向部２４で屈折した第２光線１２は、車両ランプから出射して照明及び／又は信号表示光線を形成する。
【００１８】
光学表示パターンは、本開示の実施形態による光学表示装置１００におけるパターニング装置２０によって生成され得る。例えば、光源１０が点光源（例えば発光ダイオード又はハロゲンランプ）である場合、パターニング装置２０を透過した光線は、明るい折れ線（例えば図８に示すいずれかの折れ線）を有するパターン形成し得る。光源１０が複数の点光源からなる縦列を有する場合、光源１０は複数の光線を出射し得る。そして、パターニング装置２０を透過した光線は、一群の明るい折れ線を有するパターン（例えば、図８に示すパターン）を形成し得る。パターニング装置２０は、その光偏向部を使用してパターンを形成する。これは、パターンが不透明なシールド部材を使用して直接形成される場合に比較して、高い光学的効率性を有する。
【００１９】
パターニング装置２０には、２つの異なる方向においてそれぞれ延在する少なくとも第１光偏向部２３及び第２光偏向部２４が存在し、これにより、パターニング装置２０は、比較的多様な表示パターンを形成し得る。例えば、方向を示す矢印等の表示情報を有するパターンが形成され得る。
【００２０】
図１に示す実施形態において、第１光線１１及び第２光線１２が、同一光源１０から出射される。これにより、光源配置構成が縮小され得るとともに、第１光線１１と第２光線１２との整合性が維持され得る。例えば、第１光線１１は、光源から出射された光線の一部（図１における上半分）により形成され得るとともに、第２光線１２は、光源から出射された光線の別の一部（図１における下半分）により形成され得る。図１ａは、本開示の別の実施形態による光学表示装置１００’を示す。本実施形態において、光学表示装置１００’は、２つ以上の光源１０ａ、１０ｂを有し、第１光線１１及び第２光線１２は２つの光源からそれぞれ出射される。表示パターンの種々の部分のパラメータ（例えば輝度）を整えたり調整したりすることが有利である。
【００２１】
一例として、光学表示装置は、第１パターニングユニット２１及び第２パターニングユニット２２に対して別箇の光源をそれぞれ配備し得る、又は代替的にそれらに共通の光源を配備し得る。
【００２２】
一例において、複数の第１光偏向部２３は、互いに隣接するように配設され得る。同様に、図２に示すように、複数の第２光偏向部２４も、互いに隣接するように配設ｌされ得る。これにより、複数の第１光偏向部２３及び／又は複数の第２光偏向部２４から出射される光線の強度の均一性が向上され得る。一例において、第１光偏向部２３及び／又は第２光偏向部２４の全てが、同一サイズ（幅、高さ、輪郭形状等を含む）を有し得る。これは、連続的で一様なパターンを形成するのに有利である。しかしながら、例えば別の例において、非一様のパターンを形成するように、第１光偏向部２３及び／又は第２光偏向部２４は、互いに異なるサイズを有し得る。更には隣接する第１光偏向部２３同士の間及び／又は隣接する第２光偏向部２４同士の間に、若干の間隔が設けられ得る。
【００２３】
一例において、第１パターニングユニット２１は、光源１０に向く第１表面２１１と、光源１０と反対方向を向く第２表面２１２とを有する。複数の第１偏向部２３は、（図１に示すように）第１表面２１１に配設され得るか、又は（図３に示すように）第２表面２１２に配設され得る。第１偏向部２３は、第１表面２１１又は第２表面２１２に配置され得る。これは、光線に対する偏向面を形成するのに有利である。
【００２４】
同様に、一例において、第２パターニングユニット２２は、光源１０に向く第３表面２２１と、光源１０と反対方向を向く第４表面２２２とを有する。複数の第２偏向部２４は、（図１に示すように）第３表面２２１に、又は（図３に示すように）第４表面２２２に配設される。一例として、第１偏向部２３及び第２偏向部２４は、パターニング装置２０の同一側に配設され得るか、又はパターニング装置２０の２つの対向する側に配置され得る。
【００２５】
一例として、第１光偏向部２３及び／又は第２光偏向部２４は、（図６に示すように）円弧形状の輪郭、又は（図７に示すように）三角形状の輪郭を有し得る断面を有する。これは、第１光偏向部２３及び／又は第２光偏向部２４は、第１パターニングユニット２１の側に、及び／又は光源１０と反対方向を向く第２パターニングユニット２２の側に向かって光線を偏向するという点で有利である。
【００２６】
第１偏向部２３の作動原理を、円弧形状の輪郭を持つ断面を有する第１偏向部２３を例として以下に簡潔に説明する。
【００２７】
図１２は、第１パターニングユニット２１の局所部分を示す概略図である。第１光偏向部２３は、第１パターニングユニット２１の局所部分に設けられている。図１２は、第１方向ｘ（すなわち、第１偏向部２３が延在する方向）に対して垂直な方向に沿った図であることに留意されたい。第１光偏向部２３の作動原理が、より明瞭に示され得る。第１光偏向部２３の断面は、円弧形状の輪郭を有する。第１光偏向部２３は、ｄで示される幅を有する。第１パターニングユニットの第１表面（光入射面）２１１と、第２表面２１２に接する第１偏向部２３の底部との間の距離をＨで示す。第１光偏向部２３の中央に対応する第１表面２１１上の位置における、光源１０から出射された光線の対応する部分の入射角度をαで示す。第1光偏向部２３の材料の屈折度をｎで示す。一例において、第１光偏向部２３は、以下の式を満足するような形状及びサイズを有し得る。
Ｈ×ｓｉｎα／ｎ＜ｄ／２    （式１）
【００２８】
式１が満足される場合、第１光偏向部２３に対応する第１表面２１１上の位置において入射した光の少なくとも大部分は、第１光偏向部２３から出射し得る。このようにして、第１光偏向部２３は、第１光偏向部２３の正面から観察した場合に明るくなる。換言すれば、第１光偏向部２３に対応する領域が照明される。第１パターニングユニット２１の第１光偏向部２３の全てが式１を満足する場合、第１パターニングユニット２１は、均一の明るいラインを有するパターンを呈示するであろう。しかしながら、本開示の実施形態において、全ての第１偏向部２３が式１を満足しなければならないと限定することは意図されない。例えば、光源１０から出射される光線の一部が、第２表面２１１上の異なる位置において異なる入射角度を有してもよい。このようにして、光線の一部の入射角度が非常に大きくなると、対応する第１光偏向部２３はもはや式１を満足しないことがある。この場合、第１光偏向部２３から出射される光の強度が低下し、パターンに暗い領域が形成される。或いは、別の例において、第１光偏向部２３のサイズが、種々の明るい及び暗い領域を得るように必要により代替的に調整され得る。
【００２９】
一例として、第１光偏向部２３のそれぞれの幅ｄは、以下の式で表され得る。
ｄ＝２×Ｈ×ａｒｃｓｉｎ（ｎ×ｓｉｎ（ａｒｃｔａｎ（Ｈ（ｎ−１））／２ｒ））    （式２）
ここで、ｒは、第１光偏向部２３の円弧形状の輪郭の曲率半径である。
【００３０】
一例として、第１光偏向部２３の幅ｄは、５ｍｍ未満、好適には０．１５ｍｍ未満であり得る。例えば、０．０５ｍｍより大きく０．１５ｍｍ未満、又は０．１ｍｍより大きく０．１５ｍｍ未満であり得る。一例として、第１表面２１１と第２表面２１２に接する第１偏向部の底部との間の距離Ｈは、０．１ｍｍ乃至５ｍｍの範囲にあり得る。例えば、０．３ｍｍ未満、例えば０．２３７ｍｍであり得る。
【００３１】
上述の実施形態において、第１光偏向部２３の断面（第１光偏向部分２３が延在する方向に対して垂直な方向に沿う面）は、円弧形状の輪郭を有している。しかしながら、本開示の実施形態はこれに限定されない。第１光偏向部２３の断面は、代替的に他の形状の輪郭を有し得る。例えば、図７に示すように三角形状の輪郭を有し得る。
【００３２】
当業者は、以下に説明される第２光偏向部２４並びに第３光偏向部２７及び第４光偏向部２８の作動原理は、上記の第１光偏向部２３のものと実質的に同一であることを理解するべきである。原理の特定の詳細事項は繰り返して説明しない。
【００３３】
一例において、複数の光偏向部２３の延在方向ｘは、複数の第１光偏向部２３によって、第１光線１１の断面において第１パターン部３１が形成されるように配設されるとともに複数の第２光偏向部２４の延在方向ｙは、複数の第２光偏向部２４によって、第２光線１２の断面において第２パターン部３２が形成されるように配設される。図８に示すように、第１パターン１１と第２パターン部１２は、組み合わされて第１表示パターンとなる。互いに異なる方向に沿って延在する第1光偏向部２３と第２光偏向部２４が組み合わされて表示パターンを形成する。このようにして、より多様な表示パターンが形成され得る。
【００３４】
本開示の実施形態において、パターニング装置におけるパターニングユニットの個数は、２つに限定されない。一例において、図４に示すように、パターニング装置２０’は、上述の第１パターニングユニット２１及び第２パターニングユニット２２に加えて、第３パターニングユニット２５と第４パターニングユニット２６とを更に有し得る。第３パターニングユニット２５は、互いに平行に且つ第３方向ｚにおいて延在する複数の第３光偏向部２７を有する。第３方向ｚは、第１方向ｘと異なる。第４パターニングユニット２６は、互いに平行に且つ第４方向ｑにおいて延在する複数の第４光偏向部２８を有し得る。第４方向ｑは、第２方向ｙと異なる。一例として、第３方向ｚは第２方向ｙと同一であり得るか、或いは第２方向ｙと異なり得る。同様に、第４方向ｑは第１方向ｘと同一であり得るか、或いは第１方向ｘと異なり得る。より多くのパターニングユニットが、パターニング装置２０’に配設され得る。それらは、より多くの表示パターンを形成するように構成され得る。
【００３５】
図５は、本開示の更なる実施形態による光学表示装置の概略図であり、図４に示すパターニング装置２０’が使用されている。図５は、第１パターニングユニット２１及び第３パターニングユニット２５のみを示す。第２パターニング装置２２及び第４パターニング装置２６は、第１パターニングユニット２１及び第３パターニングユニット２５によってブロックされているため示されない。本実施形態において、第１パターニングユニット２１は、単独の光源からの光線ではなく、２つの光源１０ａ、１０ａ’からの光線を受光する。それは、複数の表示パターンを形成するように使用され得る。本開示の実施形態において、第１パターニングユニット２１に入射する光線の本数はこれに限られない。第１パターニングユニット２１は、種々の表示パターンを形成するように、いかなる個数の光源からも光線を受光し得る。同様に、本開示の実施形態において、第２パターニングユニット２２、第３パターニングユニット２５、及び第４パターニングユニット２６は、それぞれ、種々の表示パターンを形成するように、いかなる個数の光源からも光線を受光し得る。例えば、図５は、第３パターニングユニット２５が、２つの光源１０ｃ及び１０ｃ’から光線を受光することを示す。本開示の実施形態において、光源は、例えば、第１パターニングユニット２１と第２パターニングユニット２２との間に隣接する位置に配置され得るか、又は代替的にいずれかのパターニングユニットの中央位置に配設され得る。或いは、光源から出射された光線が、表示パターンを形成するように所望のパターニングユニットに向かうことが可能である限り、光源は代替的に他の位置に配設され得る。
【００３６】
図１１は、図５に示す光学表示装置３００の一（右）側の概略図を示し、第３パターニングユニット２５及び第４パターニングユニット２６を示す。図１０は、光学表示装置３００により形成される表示パターンを概略的に示す。図１に示す場合と同様に、光学表示装置３００において、図１１に示すように、光源１０ｃは、第３光線１３及び第４光線１４を出射するように構成され得る。複数の第３光偏向部２７の延在方向は、第３パターン部分３３（図１０参照）が、複数の第３光偏向部２７によって、第３光線１３の断面において形成されるように配設される。複数の第４光偏向部２８の延在方向は、第４パターン部分３４（図１０参照）が、複数の第４光偏向部２８によって、第４光線１４の断面において形成されるように配設される。第３パターン部分３３と第４パターン部分３４は、組み合わされて第２表示パターンとなる。第２表示パターンは、第１表示パターンとは異なる情報を呈示するように配設され得る。図１０に示すように、第１表示パターン（図１０において左側のパターン）は、左を指す矢印を表示するように使用され得る一方、第２表示パターン（図１０において右側のパターン）は、右を差す矢印を表示するように使用され得る。光源の点灯、消灯を好適に制御することにより、異なる表示パターンが選択されて表示され得る。第１光線１１及び第２光線１２と同様に、第３光線１３及び第４光線１４も、同一の光源から又は異なる光源から出射され得る。
【００３７】
一例として、第１方向ｘは、第２方向ｙに対して６０度乃至１２０度の範囲内の角度をなし得る。これによれば、第１表示パターンに対するより良い表示効果が達成されるであろう。実際に、第１方向ｘ及び第２方向ｙは、鉛直方向に対して傾斜して所望の表示パターンを形成し得る。
【００３８】
本開示の実施形態において、少なくとも１つの光源１０は、単数又は複数の発光ダイオード又はハロゲンランプを有し得る。複数の発光ダイオード又はハロゲンランプが使用される場合、表示パターンはよりフレキシブルに表示され得る。
【００３９】
一例として、本開示の実施形態による光学表示装置１００、１００’、２００、３００は、パターン調整装置４０を更に有し得る。パターン調整装置４０は、各光源の点灯、消灯を制御して、パターニング装置２０又は２０’により出力される表示パターン（例えば第１表示パターン又は第２表示パターン）を変更するように、例えば、パターニング装置２０又は２０’により出力される表示パターンをダイナミックに変更するように構成される。光学表示装置が複数の光源１０を有する場合、表示パターンの異なる部分が、異なる光源（例えば発光ダイオード又はハロゲンランプ）に各々関連付けられることが多い。したがって、パターニング装置２０又は２０’により出力される表示パターンを、光源のうちの幾つかを点灯又は消灯することにより変更され得る。これにより、パターンはリアルタイムでもダイナミックに変化され得る。表示パターンのダイナミックな変化それ自体は、表示警告情報等の表示情報として使用され得る。
【００４０】
一例として、図５に示すように、パターン調整装置４０は、各光源を制御するべくこれらに電気的に接続されるように構成される。パターン調節装置４０は、少なくとも１つの光源（例えば発光ダイオード又はハロゲンランプ）を流れる駆動電流を制御するための駆動回路を有し得る。発光ダイオード又はハロゲンランプ等の光源を駆動して点灯又は消灯するための当業界で公知のあらゆる駆動回路が適用可能であり、その特定の詳細事項は省略する。
【００４１】
一例において、光学表示装置が２つ以上の光源を有する場合、２つ以上の光源のうちの少なくとも１つとパターニング装置２０又は２０’との間の距離は、２つ以上の光源のうちの別の１つとパターニング装置２０又は２０’との間の距離と異なる。このような距離の差は、同じく表示パターンを変更するように機能する。例えば、図９に示すように、表示パターンにおける５本の折れ線のサイズが、左から右に向かって徐々に縮小している。これは、上述の距離の差によって実現され得る。表示パターンの表示サイズは、光源とパターニング装置２０又は２０’との間の距離が増大するにつれて増大する。例えば、複数の光源とパターニング装置２０又は２０’との間の距離が左から右に向かって徐々に増大する時、図９に示す表示パターンの表示効果が得られるであろう。
【００４２】
明瞭性を期して、図８乃至１０に示すように、表示パターンの明るいラインを黒の太線で示し、表示パターンの背景色は示さない。実際には、表示パターンの明るいラインは、いずれの色をも有し得る。
【００４３】
本開示の実施形態において、第１パターニングユニットと第２パターニングユニット２２とは互いに分離され得る、又は図１３に示すように単独部品として一体化され得る。同様に、第３パターニングユニット２５及び第４パターニングユニット２６は、第１パターニングユニット２１及び第２パターニングユニット２２と一体化され得る、又は互いに分離して形成され得る。一例として、パターニング装置２０又は２０’は単独部品から構成され得る、例えば、それは単独のプレート形状部材に構成され得る。これは、製法を簡易化し、且つ光学的効率性を向上させるのに有利である。例えば、パターニング装置２０又は２０’は、透明ガラス、樹脂、又はＰＭＭＡ（ポリメチルメタクリレート）等のプラスチック材料から構成され得る。光偏向部（例えば第１光偏向部２３、第２光偏向部２４、第３光偏向部２７及び第４光偏向部２８）の反射率は、例えば、１．３乃至２．０の範囲にあり得る。
【００４４】
一例として、第１パターニングユニット２１、第２パターニングユニット２２、第３パターニングユニット２５及び第４パターニングユニット２６のいずれか１つは、回析格子から形成され得る。この場合、光偏向部（例えば第１光偏向部２３、第２光偏向部２４、第３光偏向部２７及び第４光偏向部２８）のそれぞれが、１つの回析格子ユニットに対応し得る、又は１つの回析格子ユニットとして使用され得る。回析格子は、光偏向部の幅と同一のピッチを有し得る。パターニングユニット（例えば第１パターニングユニット２１、第２パターニングユニット２２、第３パターニングユニット２５及び第４パターニングユニット２６）を回析格子から形成することにより、製造プロセス及びシステム構造が簡易化され得る。回析格子は、典型的には光学システムにおいて回析のために使用されるが、本開示の実施形態において、回析効果は顕著ではないことに留意されたい。特に、（例えば０．１ｍｍより大きい）光偏向部の幅ｄが可視光波長より著しく大きい場合、光偏向部は、主に屈折によって表示パターンの表示を達成する。これは、従来技術における回析格子の典型的な適用とは著しく異なるものである。
【００４５】
一例として、光源１０とパターニング装置２０又は２０’との間の距離は、例えば５ｍｍ乃至２００ｍｍの範囲にあり得る。上述の第１パターニングユニット２１、第２パターニングユニット２２、第３パターニングユニット２５及び第４パターニングユニット２６のうちのいずれか１つは、例えば、５ｍｍ乃至２００ｍｍの厚さを有し得る。
【００４６】
一例において、光源１０は、第１光線４０の中心軸及び第１パターニングユニット２１の第１表面２１１に対して垂直な平面（すなわち図１においてページペーパーの配置される平面）において、３０度より大きい発光角度を有している。光源１０と各第１パターニングユニット２１との間の距離を増大させて顕著な三次元表示効果を得るために、比較的大きい発光角度が有利である。
【００４７】
一例として、光源１０は、白色発光ダイオード又は単色発光ダイオードを有し得る。光偏向部（例えば第１光偏向部２３、第２光偏向部２４、第３光偏向部２７又は第４光偏向部２８）の幅が、可視光波長より著しく大きい、例えば０．１ｍｍより大きい場合、光偏向部は、白色光の色分解に対する重要な影響を全く有さず、既存の光の視覚効果に影響を及ぼすこともない。したがって、白色発光ダイオードが、光源１０として使用され得る。光源は、１つの発光ダイオード、又は一連の発光ダイオード（発光ダイオードアレイ）を有し得る。光源１０は、例えばランプ台やプリント回路基板等の、光源を保持するための当業界で公知のいかなる部材によっても支持され得る。
【００４８】
本開示の実施形態は、また、本開示の上記実施形態のうちの１つに記載の表示装置１００、１００’、２００又は３００を有する車両ランプを提供する。パターニング装置２０又は２０’から出射された光線が、車両ランプの照明及び／又は信号伝達光を形成するように使用され、視覚効果を向上させ得る。
【００４９】
本開示の実施形態において、パターニング装置２０又は２０’は、支持体やブーム等の、光学要素を保持するための公知の好適ないずれにの手段によっても支持又は懸架され得る。
【００５０】
本開示の実施形態による車両ランプは、例えば、ヘッドランプ、ハイマウントストップランプ、方向指示器、位置灯、ブレーキランプ、車内灯等の、自動車両用のいずれのタイプの照明ランプ及び／又は信号伝達ランプをも有し得る。
【００５１】
本開示の実施形態は、また、光学表示装置１００、１００’、２００、３００、又は本開示の上述の実施形態のうちのいずれか１つに記載の車両ランプを有する車両を提供する。
【００５２】
本開示を添付図面とともに説明したが、図面に開示された実施形態は、本開示の例示的な実施形態を示すことを意図しており、本発明を制限するものとして解釈されるべきではない。図面中の縮尺は、単に例示的なものであって本発明を制限するものとして解釈されるべきではない。
【００５３】
本開示の全体的な発明概念のいくつかの実施形態について図示し説明したが、当業者には、本発明の全体的な発明概念の原理及び精神を逸脱せず、これらの実施形態において変更がなされ得ることが理解されるであろう。本発明の範囲は、添付の請求項及びそれらの均等物によって規定される。
【図１】
2019050201.tif 000003
【図１ａ】
2019050201.tif 000004
【図２】
2019050201.tif 000005
【図３】
2019050201.tif 000006
【図４】
2019050201.tif 000007
【図５】
2019050201.tif 000008
【図６】
2019050201.tif 000009
【図７】
2019050201.tif 000010
【図８】
2019050201.tif 000011
【図９】
2019050201.tif 000012
【図１０】
2019050201.tif 000013
【図１１】
2019050201.tif 000014
【図１２】
2019050201.tif 000015
【図１３】
2019050201.tif 000016
【外国語明細書】
2019050201000001.pdf